(57)【要約】【課題】実際に分銅を積み降ろしすることによって校正精度を高めながらも、デジタル指示計の校正作業を行う作業担当者の負担を軽減することができるデジタル指示計の校正方法およびデジタル指示計を提供することである。【解決手段】デジタル指示計の校正方法において、ゼロ荷重、スパン荷重、およびゼロ荷重とスパン荷重との間の複数の確認点に対応した荷重の分銅を、ゼロ荷重からスパン荷重まで小さな重量から順に積載し、ゼロ荷重時および各分銅積載時の前記荷重検出部の検出データを記憶しておき、ゼロ荷重時およびスパン荷重時の前記荷重検出部の検出データを用いてゼロ校正およびスパン校正を行って前記所定の演算式を求め、該求めた所定の演算式に、前記複数の確認点に対応した荷重の分銅を積載したときの前記荷重検出部の検出データを当てはめ、該複数の確認点での積載物の重量を求めて指示する。【選択図】図１
2010249555.tif 000002
【特許請求の範囲】
【請求項１】
荷重検出部によって検出したデータを所定の演算式に当てはめ、前記荷重検出部に積載された積載物の重量を求めて指示するデジタル指示計に対し、ゼロ校正およびスパン校正を行うデジタル指示計の校正方法において、
ゼロ荷重、スパン荷重、およびゼロ荷重とスパン荷重との間の複数の確認点に対応した荷重の分銅を、ゼロ荷重からスパン荷重まで小さな重量から順に積載し、ゼロ荷重時および各分銅積載時の前記荷重検出部の検出データを記憶しておき、ゼロ荷重時およびスパン荷重時の前記荷重検出部の検出データを用いてゼロ校正およびスパン校正を行って前記所定の演算式を求め、該求めた所定の演算式に、前記複数の確認点に対応した荷重の分銅を積載したときの前記荷重検出部の検出データを当てはめ、該複数の確認点での積載物の重量を求めて指示する
ことを特徴とするデジタル指示計の校正方法。
【請求項２】
荷重検出部の検出データを所定の演算式に当てはめて前記荷重検出部に積載された積載物の重量を求める制御手段と、前記制御手段によって求めた重量を表示する表示手段とを備えたデジタル指示計において、
前記制御手段が、作業担当者から校正の開始を指示されたときに、ゼロ荷重、スパン荷重、およびゼロ荷重とスパン荷重との間の複数の確認点に対応した荷重の分銅を、ゼロ荷重からスパン荷重まで小さな重量から順に作業担当者によって積載されたときの、ゼロ荷重時および各分銅積載時の前記荷重検出部の検出データを記憶し、ゼロ荷重時およびスパン荷重時の前記荷重検出部の検出データを用いてゼロ校正およびスパン校正を行って前記所定の演算式を求め、該求めた所定の演算式に、前記複数の確認点に対応した荷重の分銅を積載したときの前記荷重検出部の検出データを当てはめ、該複数の確認点での積載物の重量を求めて前記表示手段に表示する
ことを特徴とするデジタル指示計。
【発明の詳細な説明】
【技術分野】
【０００１】
本発明は、デジタル指示計の校正方法およびデジタル指示計に関する。
【背景技術】
【０００２】
特許文献１は、デジタル指示計におけるゲインの初期校正方法を開示している。この特許文献１に記載の方法では、デジタル指示計の個体差によるゲインの違いを初期校正するために、あらかじめ記憶してあるゼロ基準値の電気信号を入力したときに出力するデジタル値と、秤量時の電気信号を入力したときに出力するデジタル値とを記憶しておき、入力電気信号と出力デジタル値との関係の傾きを求めて、特性の校正を行う。
【先行技術文献】
【特許文献】
【０００３】
【特許文献１】特開昭６３−９４１１０号公報
【発明の概要】
【発明が解決しようとする課題】
【０００４】
しかしながら、上述の従来のデジタル指示計におけるゲインの初期校正方法では、荷重検出部に実際に分銅を積んでその出力を用いて校正を行うものではなく、内部で電気信号を発生させて校正を行うものであるため、実際に分銅を積む方法に比べて校正精度が落ちるという問題があった。
【０００５】
また、デジタル指示計においては、積載物がない場合すなわち無負荷時に荷重ゼロと表示するよう校正するゼロ校正と、入力と出力との関係の傾きを求めるスパン校正を行う必要があり、さらに、ゼロと秤量（スパン）との間で、荷重を正しく表示することを確認する必要がある。たとえば秤量が１０００ｋｇのデジタル指示計であれば、ゼロと秤量との間の２００ｋｇ、４００ｋｇ、６００ｋｇ、８００ｋｇおよび１０００ｋｇの５通りの荷重を正しく表示することを確認する。
【０００６】
このため、従来は、ゼロ校正の際にデジタル指示計を無負荷の状態にし、続いてスパン校正の際にデジタル指示計に秤量の分銅を積載した状態にし、その後、デジタル指示計からすべての分銅を取り除いた後に、再度、２００ｋｇ、４００ｋｇ、６００ｋｇ、８００ｋｇおよび１０００ｋｇそれぞれの分銅を積載し、各荷重の表示が正しくされることを確認していた。従来、このような重い分銅を何度も積み降ろしする作業が発生し、デジタル指示計の校正作業を行う作業担当者の負担は大きなものであった。
【０００７】
本発明は上記の点にかんがみてなされたもので、実際に分銅を積み降ろしすることによって校正精度を高めながらも、デジタル指示計の校正作業を行う作業担当者の負担を軽減することができるデジタル指示計の校正方法およびデジタル指示計を提供することを目的とする。
【課題を解決するための手段】
【０００８】
本発明は上記の目的を達成するために、荷重検出部によって検出したデータを所定の演算式に当てはめ、前記荷重検出部に積載された積載物の重量を求めて指示するデジタル指示計に対し、ゼロ校正およびスパン校正を行うデジタル指示計の校正方法において、ゼロ荷重、スパン荷重、およびゼロ荷重とスパン荷重との間の複数の確認点に対応した荷重の分銅を、ゼロ荷重からスパン荷重まで小さな重量から順に積載し、ゼロ荷重時および各分銅積載時の前記荷重検出部の検出データを記憶しておき、ゼロ荷重時およびスパン荷重時の前記荷重検出部の検出データを用いてゼロ校正およびスパン校正を行って前記所定の演算式を求め、該求めた所定の演算式に、前記複数の確認点に対応した荷重の分銅を積載したときの前記荷重検出部の検出データを当てはめ、該複数の確認点での積載物の重量を求めて指示することを特徴とする。
【０００９】
また本発明は、荷重検出部の検出データを所定の演算式に当てはめて前記荷重検出部に積載された積載物の重量を求める制御手段と、前記制御手段によって求めた重量を表示する表示手段とを備えたデジタル指示計において、前記制御手段が、作業担当者から校正の開始を指示されたときに、ゼロ荷重、スパン荷重、およびゼロ荷重とスパン荷重との間の複数の確認点に対応した荷重の分銅を、ゼロ荷重からスパン荷重まで小さな重量から順に作業担当者によって積載されたときの、ゼロ荷重時および各分銅積載時の前記荷重検出部の検出データを記憶し、ゼロ荷重時およびスパン荷重時の前記荷重検出部の検出データを用いてゼロ校正およびスパン校正を行って前記所定の演算式を求め、該求めた所定の演算式に、前記複数の確認点に対応した荷重の分銅を積載したときの前記荷重検出部の検出データを当てはめ、該複数の確認点での積載物の重量を求めて前記表示手段に表示することを特徴とする。
【発明の効果】
【００１０】
本発明によれば、実際に分銅を積み降ろしすることによって校正精度を高めながらも、デジタル指示計の校正作業を行う作業担当者の負担を軽減することができるデジタル指示計の校正方法およびデジタル指示計を提供することができる。
【００１１】
すなわち本発明によれば、請求項１および請求項２に記載のようにしたので、従来のようにスパン荷重の分銅を積載した後に、その分銅を取り除き、再度スパン荷重の分銅を積載するという作業が必要なくなり、０から順に各確認点の分銅を積載していき、スパン荷重まで一度だけ積載することによって校正作業を完結することができ、作業担当者の負担を軽減することができる。
【図面の簡単な説明】
【００１２】
【図１】本発明によるデジタル指示計の一実施の形態の構成を示すブロック図である。
【図２】図１に示したデジタル指示計１の校正方法の手順を示すフローチャートである。
【発明を実施するための形態】
【００１３】
以下、本発明を実施するための形態について図面を参照して説明する。
【００１４】
図１は、本発明によるデジタル指示計の一実施の形態の構成を示すブロック図である。
【００１５】
デジタル指示計１は、荷重検出部１０からの電気信号を増幅する増幅器１１と、増幅器１１からのアナログ信号をデジタル信号に変換するＡ／Ｄ変換器１２と、Ａ／Ｄ変換器１２からのデジタル信号に基づいて重量を演算するＣＰＵ１３と、ＣＰＵによる演算で用いるパラメータ等を記憶するメモリであるＲＡＭ１４と、ＣＰＵで求めた重量などの情報を表示する表示部１５と、作業担当者が校正開始の指示や数値入力等の入力を行う操作部１６と有して構成される。
【００１６】
以下に、デジタル指示計１の校正方法について図２を参照しながら説明する。図２は、図１に示したデジタル指示計１の校正方法の手順を示すフローチャートである。
【００１７】
本実施形態のデジタル指示計１の校正方法では、まず、作業担当者が操作部１６から校正作業の開始を操作入力する。これを受けたデジタル指示計１のＣＰＵ１３では、表示部１５での表示により作業担当者に対して秤量の入力を要求する。これに従い、作業担当者は、荷重検出部１０の秤量（スパン）すなわち測定可能な最大重量の値ａを操作部１６から入力する。デジタル指示計１が１０００ｋｇまで測定可能なものである場合には、値ａとして１０００ｋｇを操作部１６から入力する（Ｓ−０１）。ＣＰＵ１３はこの入力された値ａをＲＡＭ１４に記憶する。
【００１８】
続いて作業担当者は、荷重検出部１０上の積載物を取り除き、無負荷状態にしたことを操作部１６から入力する（Ｓ−０２）。
【００１９】
これを受けたＣＰＵ１３は、その時点での荷重検出部１０からの電気信号を、ＡＭＰ１１およびＡ／Ｄ変換器１２を介して得て、そのデータをゼロ点のＡＤデータｄ０としてＲＡＭ１４に記憶する（Ｓ−０３）。
【００２０】
続いてＣＰＵ１３は、あらかじめ定めた、ゼロとスパンとの間の確認点の数（この実施形態では５）をカウントするカウンタｎをループの初期値である１にする（Ｓ−０４）。
【００２１】
続いて作業担当者は荷重検出部１０上に秤量のｎ／５の重量（初めはｎ＝１であるので、秤量１０００ｋｇの１／５である２００ｋｇ）の分銅を載せる（本実施形態では、ｎ／５の重量としたが、５等分でなければならないのではなく、そのほかの等分たとえば１０等分でも２０等分でもよいし、また、必ずしも等分である必要もない。）。なお、分銅は、あらかじめその重量が正確に確認されたものである。作業担当者は、荷重検出部１０上にこの分銅を載せ、分銅積載が完了したことを操作部１６から入力する（Ｓ−０５）。
【００２２】
これを受けたＣＰＵ１３は、その時点での荷重検出部１０からの電気信号を、ＡＭＰ１１およびＡ／Ｄ変換器１２を介して得て、そのデータをカウンタｎ（初めはｎ＝１）のときのＡＤデータｄｎ（初めはｎ＝１なのでｄ１）としてＲＡＭ１４に記憶する（Ｓ−０６）。さらに、このＡＤデータｄｎ（初めはｎ＝１なのでｄ１）を表示部１５に表示する（Ｓ−０７）。
【００２３】
続いてＣＰＵ１３は、カウンタｎが、ゼロとスパンとの間の確認点の数である５に達したかどうかを判定し、ｎ＝５でなければ（Ｓ−０８：Ｎｏ）、ステップ（Ｓ−０９）に進んでカウンタｎをインクリメント（カウンタｎに１を加算）するとともに、ステップ（Ｓ−０５）に戻って処理を繰り返す。
【００２４】
カウンタｎ＝１〜５まで、すなわち、２００ｋｇ（ｎ＝１）、４００ｋｇ（ｎ＝２）、６００ｋｇ（ｎ＝３）、８００ｋｇ（ｎ＝４）および１０００ｋｇ（ｎ＝５）のそれぞれについてＡＤデータ（ｄ１、ｄ２、ｄ３、ｄ４およびｄ５）を取得して、ＲＡＭ１４に記憶し（Ｓ−０６）、さらに、このＡＤデータｄｎを表示部１５に表示する処理（Ｓ−０７）を完了したならば、ステップ（Ｓ−８：Ｙｅｓ）からステップ（Ｓ−１０）へと進む。
【００２５】
ステップ（Ｓ−１０）では、ＣＰＵ１３は、ＲＡＭ１４に記憶してある、スパンの値ａ、ゼロ積載時のＡＤデータｄ０およびスパン積載時のＡＤデータｄ５を用いて、測定可能範囲内の所定のＡＤデータｄｘが入力されたときの荷重値ｙｘを求める演算式の係数ｂを算出する。ここで、係数ｂは（１）式によって算出される。
ｂ＝ａ／（ｄ５−ｄ０）・・・（１）
ＣＰＵ１３は、（１）式を実行し、係数ｂを求め、これをＲＡＭ１４に記憶する（Ｓ−１０）。また、この係数ｂを用いた（２）式を、測定可能範囲内の所定のＡＤデータｘが入力されたときの荷重値ｙを求める演算式として決定し、ＲＡＭ１４に記憶する（Ｓ−１１）。
ｙｘ＝ｂ×（ｄｘ−ｄ０）・・・（２）
最後に、ゼロとスパンとの間の各確認点のそれぞれについてステップ（Ｓ−６）で記憶した、ＡＤデータｄ１、ｄ２、ｄ３、ｄ４およびｄ５を、ステップ（Ｓ−１１）で求めた演算式（（２）式）のｄｘに当てはめ、それぞれの荷重値ｙ１、ｙ２、ｙ３、ｙ４およびｙ５を算出し、この算出結果を表示部１５に表示し（Ｓ−１２）、校正作業を終了する。
【符号の説明】
【００２６】
１  デジタル指示計
１０  荷重検出部
１１  増幅器
１２  Ａ／Ｄ変換器
１３  ＣＰＵ
１４  ＲＡＭ
１５  表示部
１６  操作部
【図１】
2010249555.tif 000003
【図２】
2010249555.tif 000004